【手続補正書】
【提出日】平成25年4月9日(2013.4.9)
【手続補正１】
【補正対象書類名】明細書
【補正対象項目名】０００１
【補正方法】変更
【補正の内容】
【０００１】
本発明は、表面に遊技制御用の電子部品及び記憶されたプログラムに従って遊技の制御を行う制御デバイスが実装される制御基板と、当該制御基板を内部に収納するための透明な基板ボックスと、を有する制御装置を備えた遊技機に関する。
【手続補正２】
【補正対象書類名】明細書
【補正対象項目名】０００３
【補正方法】変更
【補正の内容】
【０００３】
このような制御装置は、遊技プログラムが記憶された遊技用マイクロコンピュータ（制御デバイス）を含む各種電子部品を搭載した制御装置を、複数のケース部材（上蓋となる収納部材や下蓋となるベース部材）で構成される基板ボックス内に収納している。
【手続補正３】
【補正対象書類名】明細書
【補正対象項目名】０００４
【補正方法】変更
【補正の内容】
【０００４】
そして、不正防止の観点からケース部材同士の接合部分（重合部分）に設けられた封止手段（所謂かしめ）をワンウェイねじ等の固着部材により固着することで、封止手段を破壊しなければ基板ボックスを開封（開放）できないよう構成されている（例えば、特許文献１）。
【手続補正４】
【補正対象書類名】明細書
【補正対象項目名】０００６
【補正方法】変更
【補正の内容】
【０００６】
ところで、上記した特許文献１記載の遊技機においては、制御装置に対する不正行為として、制御装置自体が不正なものに交換されたり、基板ボックスを開封して遊技用マイクロコンピュータが不正なものに交換されたりする場合がある。
しかしながら、従来の制御装置では、制御デバイスの周辺に不正な部品等が取り付け易く、また、制御デバイスやその周辺を視認し難いという問題があった。
【手続補正５】
【補正対象書類名】明細書
【補正対象項目名】０００７
【補正方法】変更
【補正の内容】
【０００７】
そこで、本発明は上記した問題点を解決するためになされたものであり、制御デバイスの周辺に不正な部品等が取り付け難く、制御デバイスやその周辺を視認し易い制御装置を備えた遊技機を提供することを目的とする。
【手続補正６】
【補正対象書類名】明細書
【補正対象項目名】０００８
【補正方法】変更
【補正の内容】
【０００８】
以上の課題を解決するため、請求項１に記載の発明は、
表面に遊技制御用の電子部品及び記憶されたプログラムに従って遊技の制御を行う制御デバイスが実装される制御基板と、当該制御基板を内部に収納するための透明な基板ボックスと、を有する制御装置を備えた遊技機において、
前記基板ボックスは、前記制御デバイスの周囲を囲繞する囲繞カバー部を備え、
前記制御デバイスは、一方向に長尺な外形を呈してなり、
前記制御基板に実装される電子部品は、前記制御デバイスから離間させた状態で前記囲繞カバー部の外側に配置されてなり、
前記制御デバイスの長手方向に沿う一側部から電子部品までの離間幅の方が前記制御デバイスの長手方向に沿う他側部から電子部品までの離間幅よりも大きくなるように設定したことを特徴とする。
【手続補正７】
【補正対象書類名】明細書
【補正対象項目名】０００９
【補正方法】変更
【補正の内容】
【０００９】
請求項１に記載の発明によれば、基板ボックスは、制御デバイスの周囲を囲繞する囲繞カバー部を備え、制御基板に実装される電子部品は、制御デバイスから離間させた状態で囲繞カバー部の外側に配置されてなり、制御デバイスの長手方向に沿う一側部から電子部品までの離間幅の方が制御デバイスの長手方向に沿う他側部から電子部品までの離間幅よりも大きくなるように設定したので、制御デバイスの周辺に不正な部品等が取り付け難く、制御デバイスやその周辺を視認し易い制御装置を備えた遊技機を提供することができる。
【手続補正８】
【補正対象書類名】明細書
【補正対象項目名】００１０
【補正方法】変更
【補正の内容】
【００１０】
請求項２に記載の発明は、請求項１に記載の遊技機において、
前記制御デバイスは、前記一側部に対応する一側面に識別情報が付されてなり、
前記一側面の最も近くに実装される電子部品は、前記制御デバイスよりも背低であることを特徴とする。
【手続補正９】
【補正対象書類名】明細書
【補正対象項目名】００１１
【補正方法】変更
【補正の内容】
【００１１】
請求項２に記載の発明によれば、制御デバイスは、前記一側部に対応する一側面に識別情報が付されてなり、一側面の最も近くに実装される電子部品は、制御デバイスよりも背低であるので、制御デバイスの識別情報が付された一側面が視認し易い。
【手続補正１０】
【補正対象書類名】明細書
【補正対象項目名】００１２
【補正方法】変更
【補正の内容】
【００１２】
請求項３に記載の発明は、請求項２に記載の遊技機において、
前記基板ボックスは、前記制御基板の表面を上に向けた状態で当該制御基板を下方から取り付けることが可能に構成されたケース部材を備え、
前記ケース部材は、前記制御基板の外周を囲繞することが可能な外周囲繞部と、前記囲繞カバー部と、を備え、
前記外周囲繞部は、前記制御基板の端部との間に第１の間隙を有し、
前記囲繞カバー部は、前記制御デバイスとの間に第２の間隙を有し、
前記第１の間隙よりも前記第２の間隙が大きくなるよう設定したことを特徴とする。
【手続補正１１】
【補正対象書類名】明細書
【補正対象項目名】００１３
【補正方法】変更
【補正の内容】
【００１３】
請求項３に記載の発明によれば、ケース部材に制御基板を取り付けた状態において、第１の間隙や第２の間隙が形成されるので、ケース部材に制御基板を取り付ける際の作業性が向上する。
また、第１の間隙よりも第２の間隙の方が大きいので、ケース部材に対する制御基板の取り付け時や取り付け後における制御デバイスの囲繞カバー部への衝接を防止でき、制御デバイスの破損や故障などの不都合を回避することが可能となる。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】変更
【補正の内容】
【００２４】
本発明によれば、制御デバイスの周辺に不正な部品等が取り付け難く、制御デバイスやその周辺を視認し易い制御装置を備えた遊技機を提供することができる。
【手続補正２３】
【補正対象書類名】特許請求の範囲
【補正対象項目名】全文
【補正方法】変更
【補正の内容】
【特許請求の範囲】
【請求項１】
表面に遊技制御用の電子部品及び記憶されたプログラムに従って遊技の制御を行う制御デバイスが実装される制御基板と、当該制御基板を内部に収納するための透明な基板ボックスと、を有する制御装置を備えた遊技機において、
前記基板ボックスは、前記制御デバイスの周囲を囲繞する囲繞カバー部を備え、
前記制御デバイスは、一方向に長尺な外形を呈してなり、
前記制御基板に実装される電子部品は、前記制御デバイスから離間させた状態で前記囲繞カバー部の外側に配置されてなり、
前記制御デバイスの長手方向に沿う一側部から電子部品までの離間幅の方が前記制御デバイスの長手方向に沿う他側部から電子部品までの離間幅よりも大きくなるように設定したことを特徴とする遊技機。
【請求項２】
前記制御デバイスは、前記一側部に対応する一側面に識別情報が付されてなり、
前記一側面の最も近くに実装される電子部品は、前記制御デバイスよりも背低であることを特徴とする請求項１に記載の遊技機。
【請求項３】
前記基板ボックスは、前記制御基板の表面を上に向けた状態で当該制御基板を下方から取り付けることが可能に構成されたケース部材を備え、
前記ケース部材は、前記制御基板の外周を囲繞することが可能な外周囲繞部と、前記囲繞カバー部と、を備え、
前記外周囲繞部は、前記制御基板の端部との間に第１の間隙を有し、
前記囲繞カバー部は、前記制御デバイスとの間に第２の間隙を有し、
前記第１の間隙よりも前記第２の間隙が大きくなるよう設定したことを特徴とする請求項２に記載の遊技機。